(57)【特許請求の範囲】
【請求項１】
支持部材により遮蔽材を吊下支持する遮蔽装置であって、
天井面との隙間からの漏れ光を防止可能とする光漏れ防止部材を有し、
前記光漏れ防止部材は、
前記天井面と当該支持部材、又は遮蔽材上縁との間の隙間に着脱可能に先端部が差し込まれたクリップ部材と、
前記クリップ部材の基端部にて吊下支持する吊下遮蔽材と、
を備えることを特徴とする遮蔽装置。
【請求項２】
前記光漏れ防止部材は、当該遮蔽装置の正面から着脱可能に構成されていることを特徴とする、請求項１に記載の遮蔽装置。
【請求項３】
当該遮蔽装置は、前記天井面に対してブラケットを介して固定され、
前記クリップ部材の先端部は、前記ブラケットを設置する領域を除く位置に設けられていることを特徴とする、請求項１又は２に記載の遮蔽装置。
【請求項４】
当該遮蔽装置は、装置本体を固定するテンションバーを含み、
前記クリップ部材の先端部は、前記天井面と前記テンションバーとの間の隙間に着脱可能に差し込まれていることを特徴とする、請求項１又は２に記載の遮蔽装置。
【請求項５】
当該遮蔽装置は、取付フレーム及び巻取パイプを備えるロールスクリーンからなり、
前記クリップ部材の基端部は、前記取付フレームと前記巻取パイプとの間の光漏れを防止するよう前記吊下遮蔽材を吊下支持していることを特徴とする、請求項１から４のいずれか一項に記載の遮蔽装置。
【請求項６】
前記クリップ部材の先端部は、上方及び下方に突起するフィンを有することを特徴とする、請求項１から５のいずれか一項に記載の遮蔽装置。
【請求項７】
前記上方及び下方に突起するフィンは、前記クリップ部材の本体部と比して軟質部材で形成されていることを特徴とする、請求項６に記載の遮蔽装置。
【請求項８】
前記上方に突起するフィンは、複数形成されていることを特徴とする、請求項７に記載の遮蔽装置。
【請求項９】
前記複数形成されている上方に突起するフィンは、異なる高さで突起するフィンを含むことを特徴とする、請求項８に記載の遮蔽装置。
【請求項１０】
前記フィンは、変形時の逃げ機能を持たせた形状を有することを特徴とする、請求項６から９のいずれか一項に記載の遮蔽装置。
【請求項１１】
前記クリップ部材の先端部又は本体部は、当該支持部材を水平保持するための下方に突起する突起部を有することを特徴とする、請求項１から１０のいずれか一項に記載の遮蔽装置。
【請求項１２】
前記クリップ部材の本体部は、過度の差し込みを防止するための水平方向に対して略垂直な当接面を有することを特徴とする、請求項１から１０のいずれか一項に記載の遮蔽装置。
【請求項１３】
前記クリップ部材は、複数の部材からなることを特徴とする、請求項１から１２のいずれか一項に記載の遮蔽装置。
【請求項１４】
前記クリップ部材は、前記天井面と当該支持部材、又は遮蔽材上縁との間の隙間に着脱可能に先端部が差し込まれた第１のクリップ要素部材と、該第１のクリップ要素部材による差し込みを補助する複数の第２のクリップ要素部材から構成されていることを特徴とする、請求項１３に記載の遮蔽装置。
【請求項１５】
前記吊下遮蔽材は、当該遮蔽装置における所定の部材を覆うよう前記クリップ部材の基端部から垂下されていることを特徴とする、請求項１から１４のいずれか一項に記載の遮蔽装置。
【請求項１６】
支持部材により遮蔽材を吊下支持する遮蔽装置と天井面との隙間からの漏れ光を防止可能とするクリップ部材であって、
前記天井面と当該支持部材、又は遮蔽材上縁との間の隙間に着脱可能な態様で差し込み可能な先端部と、
所定の吊下遮蔽材を吊下支持可能とする基端部と、
を備えることを特徴とするクリップ部材。
【発明の詳細な説明】
【技術分野】
【０００１】
本発明は、支持部材により遮蔽材を吊下支持する遮蔽装置、及び天井面との隙間からの漏れ光を防止可能とするクリップ部材に関する。
【背景技術】
【０００２】
従来、遮蔽材を吊下支持する遮蔽装置の一例として、スクリーンを昇降させて室内への採光量を調節可能とするロールスクリーンがある。
【０００３】
ロールスクリーンは、天井面等の取付面に対してブラケットを介して取着された枠体（例えば取付フレーム）により巻取パイプを支持し、スクリーンの上縁部を巻取パイプに取着して垂下させ、巻取パイプによってスクリーンの巻取り又は巻戻しを行うことにより室内への採光量を調節可能に構成される。
【０００４】
そこで、スクリーンを巻き取る巻取軸（即ち、巻取パイプ）と、この巻取パイプを支持する枠体の下面との間の隙間からの光漏れを防止するために、枠体の下面に基端縁を回動可能に支持して巻取パイプの周面上に垂下させる隙間防止部材を設ける技法が開示されている（例えば、特許文献１参照）。
【０００５】
また、スクリーンを巻き取る巻取パイプと、この巻取パイプを支持する枠体の下面との間の隙間からの光漏れを防止するために、枠体の前側面に端部を搖動可能に支持する隙間防止部材を設ける技法が開示されている（例えば、特許文献２参照）。
【先行技術文献】
【特許文献】
【０００６】
【特許文献１】実公平４−４８３１６号公報
【特許文献２】特開２０１３−１３６９００号公報
【発明の概要】
【発明が解決しようとする課題】
【０００７】
前述した特許文献１，２に開示される技法では、当該隙間防止部材により巻取パイプと枠体の下面との間の隙間を塞ぐことができるため、スクリーンを下降させて遮蔽状態としているときの遮光性を高めることができる点で有効である。
【０００８】
しかしながら、特許文献１，２に開示される技法では、天井面と枠体との間の隙間を塞ぐことができず、この隙間からの光漏れを防ぐことはできないため、その遮光性の向上の観点からは改善の余地がある。
【０００９】
また、特許文献１，２に開示される技法では、当該隙間防止部材を容易に取り付けたり、取り外したりすることができず、施工性及び着脱性の観点でも改善の余地がある。
【００１０】
本発明の目的は、上述の問題に鑑みて、天井面との隙間からの漏れ光を防止可能とする遮蔽装置及びクリップ部材を提供することにある。
【課題を解決するための手段】
【００１１】
本発明の遮蔽装置は、支持部材（例えば、取付フレーム、ヘッドボックス、ハンガーレール等）により遮蔽材を吊下支持する遮蔽装置であって、天井面との隙間からの漏れ光を防止可能とする光漏れ防止部材を有し、前記光漏れ防止部材は、前記天井面と当該支持部材、又は遮蔽材上縁との間の隙間に着脱可能に先端部が差し込まれたクリップ部材と、前記クリップ部材の基端部にて吊下支持する吊下遮蔽材と、を備えることを特徴とする。
【００１２】
また、本発明の遮蔽装置において、前記光漏れ防止部材は、当該遮蔽装置の正面から着脱可能に構成されていることを特徴とする。
【００１３】
また、本発明の遮蔽装置において、当該遮蔽装置は、前記天井面に対してブラケットを介して固定され、前記クリップ部材の先端部は、前記ブラケットを設置する領域を除く位置に設けられていることを特徴とする。
【００１４】
また、本発明の遮蔽装置において、当該遮蔽装置は、装置本体を固定するテンションバーを含み、前記クリップ部材の先端部は、前記天井面と前記テンションバーとの間の隙間に着脱可能に差し込まれていることを特徴とする。
【００１５】
また、本発明の遮蔽装置において、当該遮蔽装置は、取付フレーム及び巻取パイプを備えるロールスクリーンからなり、前記クリップ部材の基端部は、前記取付フレームと前記巻取パイプとの間の光漏れを防止するよう前記吊下遮蔽材を吊下支持していることを特徴とする。
【００１６】
また、本発明の遮蔽装置において、前記クリップ部材の先端部は、上方及び下方に突起するフィンを有することを特徴とする。
【００１７】
また、本発明の遮蔽装置において、前記上方及び下方に突起するフィンは、前記クリップ部材の本体部と比して軟質部材で形成されていることを特徴とする。
【００１８】
また、本発明の遮蔽装置において、前記上方に突起するフィンは、複数形成されていることを特徴とする。
【００１９】
また、本発明の遮蔽装置において、前記複数形成されている上方に突起するフィンは、異なる高さで突起するフィンを含むことを特徴とする。
【００２０】
また、本発明の遮蔽装置において、前記フィンは、変形時の逃げ機能を持たせた形状を有することを特徴とする。
【００２１】
また、本発明の遮蔽装置において、前記クリップ部材の先端部又は本体部は、当該支持部材を水平保持するための下方に突起する突起部を有することを特徴とする。
【００２２】
また、本発明の遮蔽装置において、前記クリップ部材の本体部は、過度の差し込みを防止するための水平方向に対して略垂直な当接面を有することを特徴とする。
【００２３】
また、本発明の遮蔽装置において、前記クリップ部材は、複数の部材からなることを特徴とする。
【００２４】
また、本発明の遮蔽装置において、前記クリップ部材は、前記天井面と当該支持部材、又は遮蔽材上縁との間の隙間に着脱可能に先端部が差し込まれた第１のクリップ要素部材と、該第１のクリップ要素部材による差し込みを補助する複数の第２のクリップ要素部材から構成されていることを特徴とする。
【００２５】
また、本発明の遮蔽装置において、前記吊下遮蔽材は、当該遮蔽装置における所定の部材を覆うよう前記クリップ部材の基端部から垂下されていることを特徴とする。
【００２６】
更に、本発明のクリップ部材は、支持部材により遮蔽材を吊下支持する遮蔽装置と天井面との隙間からの漏れ光を防止可能とするクリップ部材であって、前記天井面と当該支持部材、又は遮蔽材上縁との間の隙間に着脱可能な態様で差し込み可能な先端部と、所定の吊下遮蔽材を吊下支持可能とする基端部と、を備えることを特徴とする。
【発明の効果】
【００２７】
本発明によれば、天井面等の取付面と遮蔽装置の上部との間の隙間からの光漏れを防ぐことができ、その施工性及び着脱性を向上させることができる。特に、遮蔽装置の一例であるロールスクリーンの場合には、巻取パイプと枠体との間で生じる隙間からの光漏れをも効果的に遮光することができるため、その遮蔽性能を向上させることができる。
【図面の簡単な説明】
【００２８】
【図１】本発明による第１実施形態の遮蔽装置としてのロールスクリーンの概略構成を示す正面図である。
【図２】本発明による第１実施形態の遮蔽装置としてのロールスクリーンにおける概略構成を示す部分的な側面透視図である。
【図３】本発明による第１実施形態の遮蔽装置としてのロールスクリーンにおける一実施例の光漏れ防止部材の概略構成を示す側面図である。
【図４】本発明による第１実施形態の遮蔽装置としてのロールスクリーンにおける一実施例の光漏れ防止部材の概略構成を示す平面図である。
【図５】（ａ），（ｂ）は、本発明による第１実施形態の遮蔽装置としてのロールスクリーンにおける一実施例の光漏れ防止部材の取付方法を説明する側面図である。
【図６】本発明による第１実施形態の遮蔽装置としてのロールスクリーンにおける一実施例の光漏れ防止部材の作用を説明する側面図である。
【図７】本発明による第２実施形態の遮蔽装置としてのロールスクリーンの概略構成を示す正面図である。
【図８】（ａ），（ｂ），（ｃ）は、それぞれ本発明による第１及び第２実施形態の遮蔽装置としてのロールスクリーンにおける別の実施例の光漏れ防止部材の概略構成を示す側面図である。
【図９】（ａ），（ｂ），（ｃ）は、それぞれ本発明による第１及び第２実施形態の遮蔽装置としてのロールスクリーンにおける更に別の実施例の光漏れ防止部材の概略構成を示す側面図である。
【図１０】（ａ），（ｂ）は、本発明による第１及び第２実施形態の遮蔽装置としてのロールスクリーンにおける別の実施例の光漏れ防止部材の構成を説明する部分的な斜視図及び断面図である。
【図１１】（ａ），（ｂ）は、本発明による第１及び第２実施形態の遮蔽装置としてのロールスクリーンにおける更に別の実施例の光漏れ防止部材の構成を説明する部分的な斜視図及び断面図である。
【図１２】（ａ），（ｂ）は、本発明による第１及び第２実施形態の遮蔽装置としてのロールスクリーンにおける更に別の実施例の光漏れ防止部材の構成を説明する部分的な斜視図及び断面図である。
【図１３】本発明による第３実施形態の遮蔽装置としてのカーテンレールの概略構成を示す斜視図である。
【図１４】本発明による第４実施形態の遮蔽装置としてのプリーツスクリーンの概略構成を示す斜視図である。
【発明を実施するための形態】
【００２９】
以下、図面を参照して、本発明による各実施形態の遮蔽装置として例示するロールスクリーンを説明する。尚、本願明細書中、図１に示すロールスクリーンの正面図に対して、図示上方及び図示下方を遮蔽材（本例では、スクリーン）３の吊り下げ方向に準じてそれぞれ上方向（又は上側）及び下方向（又は下側）と定義し、図示左方向をロールスクリーンの左側、及び、図示右方向をロールスクリーンの右側と定義して説明する。また、以下に説明する例では、図１に示すロールスクリーンの正面図に対して、視認する側を前側（又は室内側）、その反対側を後側（又は室外側）とし、ロールスクリーンの前後方向と称するときは、図１の正面図における図示面に対して垂直な方向を云う。
【００３０】
〔第１実施形態〕
（装置構成）
まず、図１及び図２を参照して、本発明による第１実施形態の遮蔽装置としてのロールスクリーンの構成を説明する。図１は、本発明による第１実施形態の遮蔽装置としてのロールスクリーンの概略構成を示す正面図である。図２は、本発明による第１実施形態の遮蔽装置としてのロールスクリーンにおける概略構成を示す部分的な側面透視図である。
【００３１】
図１に示すロールスクリーンは、取付フレーム１の両端に支持部材１ａ，１ｂが固定され、その支持部材１ａ，１ｂから延びる固定軸（図示せず）によって、支持部材１ａ，１ｂ間に円筒状の巻取パイプ２が回転可能に支持される。取付フレーム１は、ブラケット６により天井面Ｓに固定される。
【００３２】
巻取パイプ２は、スクリーン３の一端を取着して巻き取り可能に吊下支持している。スクリーン３の他端は、錘部材として機能するウェイトバー４に取着されている。従って、スクリーン３はウェイトバー４の重量に基づいて張設される。
【００３３】
また、巻取パイプ２内において、スクリーン３の自動巻上げを行う巻上機構（例えば、スプリングモーター）と、スクリーン３の自重降下を防止するストッパー装置等が収容されている（図示せず）。従って、ストッパー装置が作動していないとき、巻取パイプ２は、その巻上機構により、スクリーン巻取り方向へ回転するよう作動する。
【００３４】
そして、ウェイトバー４の略中央部の下端部には、下方に引っ張り可能なプルグリップ５が取着されている。プルグリップ５は、図２に示すように、ウェイトバー４を収容するプルサポート４ａの一部からプルコード５ａを介して垂下されている。
【００３５】
即ち、プルグリップ５を下方に引っ張ることで巻取パイプ２はスクリーン巻戻し方向へ回転してウェイトバー４が下降して、任意位置でプルグリップ５を手放すとストッパー装置によりスクリーン３が引き出された状態で停止する。この状態からプルグリップ５を僅かに下方に引っ張り手放すと、ストッパー装置によるロックが解除され巻取パイプ２はスクリーン巻取り方向へ回転してウェイトバー４が上昇する。このようにして、巻取パイプ２によってスクリーンの巻取り又は巻戻しを行うことにより室内への採光量を調節可能に構成される。
【００３６】
尚、プルグリップ５の代わりに、又はプルグリップ５に加えて、巻取パイプ２の一端部に操作プーリーを設け、この操作プーリーに掛回される無端状の操作コードを垂下することでスクリーンの巻取り又は巻戻しを可能に構成することができる。例えば、この操作コードをボールチェーンで構成し、このボールチェーンが掛回される操作プーリーの表面を、そのボールチェーンのボール部に適合する形状の凹凸を有するように構成することができる。
【００３７】
ところで、本発明に係るロールスクリーンでは、図１及び図２に示すように、天井面Ｓとロールスクリーンの上部（本例では、取付フレーム１の上部）との間の隙間からの光漏れを防ぐとともに、巻取パイプ２と取付フレーム１との間で生じる隙間からの漏れ光を効果的に遮光する光漏れ防止部材７が設けられている。この光漏れ防止部材７は、クリップ部材７１と吊下遮蔽材７２からなる。特に、クリップ部材７１は、詳細に後述するが、図２に示すように、その側面断面形状を基に、本体部７１ａ、先端部７１ｂ、及び基端部７１ｃとして区分することができ、本体部７１ａ及び基端部７１ｃの左右方向幅は、ロールスクリーンの左右方向幅とほぼ同一の長さに延在し、本体部７１ａから後方に延びる先端部７１ｂは、ブラケット６を設置する領域を除く位置に左右方向に延在している。また、吊下遮蔽材７２の左右方向幅も、ロールスクリーンの左右方向幅とほぼ同一の長さに延在している。この「ほぼ同一の長さ」として、吊下遮蔽材７２や、クリップ部材７１の本体部７１ａ及び基端部７１ｃの左右方向幅は、用途に応じて長さを決定すればよく、ロールスクリーンの左右方向幅よりもやや長くしてもよいし、逆にわずかに短くしてもよい。
【００３８】
クリップ部材７１の先端部７１ｂは、天井面Ｓとロールスクリーンの上部（本例では、取付フレーム１の上部）との間の隙間に差し込み可能な形状を有している。また、クリップ部材７１の基端部７１ｃは、吊下遮蔽材７２の上縁部７２ａを垂下に係る長さが調整できる態様で吊下支持する形状を有している。また、吊下遮蔽材７２の下縁部７２ｂにおいて、図２に例示するように、その品質維持のために折り曲げて端部処理を施すのが好適であり、垂下に係る長さを調整して溶着等により固着させることもできるが、面ファスナー等により長さ調整可能に形成することもできる。
【００３９】
この光漏れ防止部材７は、ロールスクリーンの正面側（室内側）から着脱可能であり、後述するように、その着脱が容易な態様で構成され、且つ取り付けられた光漏れ防止部材７は安定して遮光できるように構成されている。このため、光漏れ防止部材７の設置に関してロールスクリーンの施工性及び着脱性を向上させつつスクリーン遮蔽時の遮光性を向上させている。以下、図３乃至図６を参照して、本実施形態に係るロールスクリーンに適用された一実施例の光漏れ防止部材７についてより詳細に説明する。
【００４０】
（光漏れ防止部材）
図３は、本実施形態のロールスクリーンにおける一実施例の光漏れ防止部材７の概略構成を示す側面図である。光漏れ防止部材７は、クリップ部材７１と吊下遮蔽材７２からなる。特に、クリップ部材７１は、その側面断面形状を基に、本体部７１ａ、先端部７１ｂ、及び基端部７１ｃとして区分することができる。本体部７１ａ及び基端部７１ｃの左右方向幅は、ロールスクリーンの左右方向幅とほぼ同一の長さに延在し、本体部７１ａから後方に延びる先端部７１ｂは、ブラケット６を除く位置に左右方向に延在している。例えば、図４に示すように、この「ほぼ同一の長さ」として、クリップ部材７１の本体部７１ａ及び基端部７１ｃの左右方向幅は、ロールスクリーンの左右方向幅よりもやや長く延在させるよう形成し、先端部７１ｂの左右方向幅は、ブラケット６の設置領域（図示Ｂ）を除く領域（図示Ａ）に延在させるよう形成することができる。尚、図４では、支持部材１ａ，１ｂの位置する領域も先端部７１ｂの形成を除くように図示しているが、支持部材１ａ，１ｂの位置する領域に先端部７１ｂが形成されていてもよい。
【００４１】
図３に示すように、クリップ部材７１の先端部７１ｂは、前述したように、天井面Ｓとロールスクリーンの上部（本例では、取付フレーム１の上部）との間の隙間に差し込み可能な形状を有している。また、クリップ部材７１の基端部７１ｃは、吊下遮蔽材７２の上縁部７２ａを垂下に係る長さが調整できる態様で吊下支持する形状を有している。
【００４２】
クリップ部材７１の先端部７１ｂには上方及び下方に突起するひだ状のフィン１１，１２，１３，１４がそれぞれ形成されている。ひだ状のフィン１１，１２，１３，１４は、高弾性の軟質材料で形成されており（斜線で図示）、一方、先端部７１ｂの他の領域や本体部７１ａ及び基端部７１ｃは低弾性の硬質材料で形成され（白抜き線で図示）、いわゆる２色成形により形成されている。尚、ひだ状のフィン１１，１２，１３，１４における材質を複数種の異材質としてもよく、即ちクリップ部材７１は、多色成形で形成することもできる。或いはまた、フィン１１，１２，１３，１４を２色又は多色成形で形成する代わりに、接着等により固着してもよい。また、フィン１１，１２，１３，１４は、ブラケット６の位置を除きロールスクリーンの左右方向幅とほぼ同一の長さに延在する例を説明するが、ロールスクリーンの左右方向の複数個所で突出するよう形成してもよい。
【００４３】
上方のフィン１１，１２，１３は、そのいずれか１つが天井面Ｓを押圧するよう高さを変えて形成されている。図示する例では、上方のフィン１１，１２，１３のうち、フィン１１の高さはフィン１２，１３よりも高いものとなっている。このように、上方のフィン１１，１２，１３の各高さに変化を付けることで、例えば天井面Ｓに凹凸がある場合にも、その凹凸を吸収して天井面Ｓを押圧することができる。このように、先端部７１ｂの上方に設けるフィンは、複数としたり、その高さを変えたりすることで、天井面Ｓとロールスクリーンの上部（本例では、取付フレーム１の上部）との間の隙間に先端部７１ｂを差し込んだ状態を安定化させることができる。
【００４４】
下方のフィン１４は、天井面Ｓと取付フレーム１の上部との間の隙間に先端部７１ｂを差し込んだ状態を保持するよう抜け防止として機能する。即ち、クリップ部材７１の取り外しに要する外力が生じない限り、下方のフィン１４は、その先端が取付フレーム１の上部開口の一側壁内側部に当接可能となり、先端部７１ｂの当該差し込みを安定保持することができる（図２参照）。
【００４５】
そして、ひだ状のフィン１１，１２，１３，１４は、他の領域と比して高弾性の軟質材料で形成されていることから、先端部７１ｂの当該差し込みを容易とし、且つクリップ部材７１の取り外し（即ち、先端部７１ｂの抜き出し）も容易となっている。また、ひだ状のフィン１１，１２，１３，１４は、図示Ｆで示すように、変形時の逃げを考慮した凹み形状（変形時の逃げ機能を持たせた形状）を有している。これにより、天井面Ｓに凹凸がある場合にも、その凹凸を効率よく吸収して天井面Ｓを押圧することができ、当該安定保持を高めることができる。尚、上方のフィン１１，１２，１３と、下方のフィン１４とを異材質の軟質材料としてもよい。
【００４６】
クリップ部材７１の本体部７１ａは、その前後方向の長さ（図示する左右方向の長さ）に関して、適用する遮蔽装置に応じて変更することもできるが、多数種の遮蔽装置に適用可能に定めた長さとすることができる。
【００４７】
そして、クリップ部材７１の先端部７１ｂ及び本体部７１ａには、それぞれ下方に突起する突起部１５，１６が設けられている。先端部７１ｂの突起部１５は、取付フレーム１の上部開口の一側壁上部で支持可能な位置に設けられ、本体部７１ａの突起部１６は、取付フレーム１の上部開口の一側壁外側部に当接可能な位置に設けられている（図２参照）。突起部１５を設けることなくクリップ部材７１を形成してもよいが、後述するように、天井面Ｓとロールスクリーンの上部（本例では、取付フレーム１の上部）との間の隙間にクリップ部材７１の先端部７１ｂを差し込んだ際に、突起部１５が支軸として作用して水平保持を安定化させるのに有利となることから、突起部１５を設けるのが好ましい。また、突起部１６も、後述するように、過度の差し込みを防止するための水平方向に対して略垂直な当接面を有し、水平保持を安定化させるのに有利となる。即ち、クリップ部材７１の先端部７１ｂ及び本体部７１ａに、それぞれ下方に突起する突起部１５，１６を設けることで、クリップ部材７１の水平保持をより安定化させることができる。
【００４８】
クリップ部材７１の基端部７１ｃは、吊下遮蔽材７２の上縁部７２ａを吊下支持するために、吊下遮蔽材７２の垂下に係る長さが調整できるよう、吊下遮蔽材７２の上縁部７２ａを畳み込んで係止可能となっている。図３に示す例では、基端部７１ｃは、遮蔽片１７と生地保持部１８よりなる略Ｃ字状に保持空間が形成され、吊下遮蔽材７２の上縁部７２ａを係止して、生地導出部１９から下方に吊下遮蔽材７２を垂下可能となっている。
【００４９】
また、クリップ部材７１の本体部７１ａの上面部１０と、基端部７１ｃにおける遮蔽片１７の上面とは段差が生じするように形成されており、クリップ部材７１が図３に示す水平状態にあるときに、遮蔽片１７の上面（頂部）が、上方のフィン１１，１２，１３のうち最も高さの高いもの（図示する例では、フィン１１）の頂部と本体部７１ａの上面部１０との間に位置するように形成するのが好ましい。これにより、クリップ部材７１の水平保持を安定化させることができる。尚、基端部７１ｃの遮蔽片１７を平坦な上面となる例を図示しているが、上に凸、或いは下に凸となるような曲面形状であってもよい。
【００５０】
このように構成された光漏れ防止部材７は、ロールスクリーンの正面側（室内側）から着脱可能であり、その着脱が容易な態様で構成され、且つ取り付け時には光漏れ防止部材７が安定保持されるように構成されている。ここで、光漏れ防止部材７の取付方法、及びその安定保持に関する作用について詳細に説明する。図５（ａ）に示すように、光漏れ防止部材７におけるクリップ部材７１を、ロールスクリーンの正面側（室内側）から天井面Ｓとロールスクリーンの上部（即ち、取付フレーム１の上部）との間の隙間に先端部７１ｂを差し込むことで、図５（ｂ）に示すように、安定保持させることができる。より具体的には、上方のフィン１１，１２，１３のいずれか１つ（図示する例では、フィン１１）が天井面Ｓを押圧し、下方のフィン１４が抜け防止として機能し、突起部１５が取付フレーム１の上部開口の一側壁上部で支持され、突起部１６が取付フレーム１の上部開口の一側壁外側部に当接可能に設置される。
【００５１】
そして、図６に示すように、突起部１５を支軸として外的要因で矢印方向の回転力が生じたとしても、フィン１１が天井面Ｓを押圧しつつ、遮蔽片１７の上面（頂部）が天井面Ｓに当接するため、クリップ部材７１がほぼ水平に保持されて天井面Ｓとロールスクリーンの上部（即ち、取付フレーム１の上部）との間の隙間が生じるのを防ぐことができる。
【００５２】
以上のように構成された第１実施形態に係るロールスクリーンであれば、天井面Ｓと取付フレーム１の上部との間の隙間からの光漏れを防ぐことができ、更には、巻取パイプ２と取付フレーム１の下部との間で生じる隙間からの光漏れをも効果的に遮光することができるため、その遮蔽性能を向上させることができる。そして、光漏れ防止部材７の施工性及び着脱性も容易となる。ここで、「遮蔽性能」とは、光漏れの防止に加えて、その隙間に起因する通気に対する防止効果（密封効果）も含めることができる。
【００５３】
〔第２実施形態〕
（装置構成）
次に、図７を参照して、本発明による第２実施形態の遮蔽装置としてのロールスクリーンの構成を説明する。図７は、本発明による第２実施形態の遮蔽装置としてのロールスクリーンの概略構成を示す正面図である。
【００５４】
本実施形態のロールスクリーンは、例えばブラケット６を直接的に固定できない場所に設置できるようにするために、テンションバー８を利用した例である。テンションバー８は、内枠天井付け用や外枠正面付け用など、天井面Ｓに近接して取り付け用の側壁部が確保された場所でロールスクリーンの取付面を確保するための部材であり、略長方形状の本体の両端部はビスを用いることなく、その側壁部間にテンションにより付勢して固定できるようになっている。
【００５５】
テンションバー８を利用してロールスクリーンの本体を設置する場合には、ロールスクリーンの本体は、ブラケット６を介してテンションバー８に対して固定される。従って、通常であれば、天井面Ｓとテンションバー８との間、テンションバー８と取付フレーム１との間、及び、取付フレーム１と巻取パイプ２との間に、それぞれ隙間が生じうるが、本実施形態では、天井面Ｓとテンションバー８との間に、図３に示す光漏れ防止部材７におけるクリップ部材７１の先端部７１ｂを差し込み、天井面Ｓとテンションバー８との間、テンションバー８と取付フレーム１との間、及び、取付フレーム１と巻取パイプ２との間の隙間を防ぐよう、クリップ部材７１の基端部７１ｃから吊下遮蔽材７２を垂下させるよう構成されている。
【００５６】
このように構成された第２実施形態に係るロールスクリーンであれば、天井面Ｓとテンションバー８との間の隙間、及び、テンションバー８と取付フレーム１との間の隙間からの光漏れを防ぐことができ、更には、取付フレーム１と巻取パイプ２との間で生じる隙間からの光漏れをも効果的に遮光することができ、その遮蔽性能を向上させることができる。そして、第１実施形態と同様に、光漏れ防止部材７の施工性及び着脱性も容易となる。
【００５７】
また、光漏れ防止部材７におけるクリップ部材７１の形状は、様々な変形例で実現することができる。例えば、図８（ａ）に示すように、上方のフィン１１，１２，１３の各高さをほぼ同一としてもよい。また、図８（ｂ）に示すように、突起部１６と生地保持部１８とを一体化させた形状としてもよい。更には、図８（ｃ）に示すように、遮蔽片１７と生地保持部１８を略板状に構成し、吊下遮蔽材７２を面ファスナーや溶着等により生地保持部１８の面、及び／又は遮蔽片１７の面に貼付するよう構成することもできる。
【００５８】
更には、図９（ａ）に示すように、上方のフィン１１の１つのみとしてもよいし、或いは２つ、又は４つ以上の上方のフィンとしてもよい。そして、図９（ｂ）に示すように、上方及び下方のフィン１１，１４の形状もひだ状とする以外に、鑓状（図９（ｂ）参照）や筒状（図９（ｃ）参照）とすることもできる。更には、これらの図８及び図９に示す要素を適宜組み合わせて、クリップ部材７１を形成することができる。
【００５９】
また、吊下遮蔽材７２は、生地でなくとも樹脂成形された部材で構成してもよい。また、図３、図８及び図９で例示するフィンは、これら以外の形状で構成する場合も含み、高弾性の軟質材料で形成するにあたり、図３を参照して上述したように、変形時の逃げ機能を持たせた形状とするのが好ましい。
【００６０】
（複数部材でクリップ部材を構成する光漏れ防止部材の実施例）
また、光漏れ防止部材７におけるクリップ部材７１は、複数部材で構成することができる。例えば、図１０（ａ）の部分的な斜視図、及び図１０（ｂ）の部分的な断面図で示す実施例のクリップ部材７１では、ロールスクリーンの左右方向幅とほぼ同一の長さに延在しているクリップ要素部材７１Ａと、クリップ要素部材７１Ａの左右方向の複数個所で取付フレーム１に対する取着を補助するクリップ要素部材７１Ｂから構成される。クリップ要素部材７１Ａは低弾性の硬質材料で形成されており、クリップ要素部材７１Ｂは高弾性の軟質材料で形成されている。図１０に示す例は、クリップ要素部材７１Ａとクリップ要素部材７１Ｂとを一体化させて光漏れ防止部材７を構成してからロールスクリーンへ取着する例である。尚、図１０において、図３で示すクリップ部材７１と同様の機能を有する構成要素には同一の参照番号を付している。
【００６１】
本実施例に係るクリップ部材７１におけるクリップ要素部材７１Ａも、本体部７１ａ、先端部７１ｂ、及び基端部７１ｃとして区分することができる。そして、本実施例においても、本体部７１ａ及び基端部７１ｃの左右方向幅は、ロールスクリーンの左右方向幅とほぼ同一の長さに延在し、本体部７１ａから後方に延びる先端部７１ｂは、ブラケット６を除く位置に左右方向に延在している（図示せず）。
【００６２】
図１０に示すように、本実施例に係るクリップ要素部材７１Ａの先端部７１ｂには、上方に突起する突起片１１ａが形成されている。この突起片１１ａは、好適には高弾性の軟質材料で形成することができるが、ここでは先端部７１ｂの他の領域や本体部７１ａ及び基端部７１ｃと同様に、低弾性の硬質材料で形成されているものとする。尚、高弾性の軟質材料で形成した突起片１１ａであっても、後述するように、本実施例ではクリップ部材７１の水平保持を効果的に安定化させることができる。
【００６３】
そして、基端部７１ｃは、図示を省略するが前述の実施例と同様に、吊下遮蔽材７２の上縁部７２ａを吊下支持するために、遮蔽片１７と生地保持部１８よりなる略Ｃ字状に保持空間が形成され、吊下遮蔽材７２の上縁部７２ａを係止して、生地導出部１９から下方に吊下遮蔽材７２を垂下可能となっている。
【００６４】
ところで、本実施例に係るクリップ要素部材７１Ａでは、その先端部７１ｂを天井面Ｓとロールスクリーンの上部（本例では、取付フレーム１の上部）との間の隙間に差し込むことで、クリップ要素部材７１Ａにおける先端部７１ｂの下面が取付フレーム１の上部に支持されて上述した光漏れを防止するよう構成されているが、このクリップ要素部材７１Ａのみではその差し込んだ状態を安定化させることができない。
【００６５】
そこで、本実施例に係るクリップ要素部材７１Ａでは、ロールスクリーンの左右方向幅とほぼ同一の長さに延在する本体部７１ａ及び先端部７１ｂにて、その左右方向の複数個所に、それぞれ対となる長穴状の係止孔３１及び方形状の切欠き３２が形成される。そして、この係止孔３１及び切欠き３２を利用して、高弾性の軟質材料で形成したクリップ要素部材７１Ｂがクリップ要素部材７１Ａに係止されて一体化し、取付フレーム１に対するクリップ要素部材７１Ａの取着を補助するようになっている。
【００６６】
より具体的には、クリップ要素部材７１Ｂは、図１０（ｂ）に示すように、その先端部に下方に突出する爪部１４ａを有し、この爪部１４ａと、取付フレーム１の上部開口の一側壁外側部に当接可能な位置に設けられる突起部１６ａとの間で凹部を形成し、当該取付フレーム１の上部開口の一側壁を掴持可能となっている。従って、この爪部１４ａと突起部１６ａは、それぞれ上述したフィン１４及び突起部１６とほぼ同様な機能を有する。
【００６７】
また、このクリップ要素部材７１Ｂの突起部１６ａより前方（室内側）に位置する基端部には、二股状に上方に延び各先端が鑓状の係止片３３が設けられている。そして、このクリップ要素部材７１Ｂの係止片３３がクリップ要素部材７１Ａの係止孔３１に挿通され弾性変形し、その係止片３３の鑓状の先端がクリップ要素部材７１Ａの本体部７１ａにおける上面部１０から露出することで、クリップ要素部材７１Ｂがクリップ要素部材７１Ａに係止され一体化する。更に、クリップ要素部材７１Ａにおける先端部７１ｂの下面が取付フレーム１の上部に支持される状態で、爪部１４ａと突起部１６ａにより当該取付フレーム１の上部開口の一側壁を掴持可能とするため、クリップ要素部材７１Ａの先端部７１ｂに設けられた切欠き３２からクリップ要素部材７１Ｂの上面部３４を露出させ、クリップ要素部材７１Ｂがクリップ要素部材７１Ａの下面で狭圧されるのを避けるようになっている。
【００６８】
このように、クリップ要素部材７１Ｂをクリップ要素部材７１Ａに係止して一体化してクリップ部材７１を構成することで、天井面Ｓとロールスクリーンの上部（本例では、取付フレーム１の上部）との間の隙間にクリップ部材７１Ａの先端部７１ｂを差し込んだ際に水平保持を安定化させることができる。
【００６９】
或いはまた、図１１に示すようにして、光漏れ防止部材７におけるクリップ部材７１を複数部材で構成することができる。例えば、図１１（ａ）の部分的な斜視図、及び図１１（ｂ）の部分的な断面図で示す実施例のクリップ部材７１では、ロールスクリーンの左右方向幅とほぼ同一の長さに延在しているクリップ要素部材７１Ａと、クリップ要素部材７１Ａの左右方向の複数個所で取付フレーム１に対する取着を補助するクリップ要素部材７１Ｂから構成される。クリップ要素部材７１Ａは低弾性の硬質材料で形成されており、クリップ要素部材７１Ｂは高弾性の軟質材料で形成されている。図１１に示す例も、クリップ要素部材７１Ａとクリップ要素部材７１Ｂとを一体化させて光漏れ防止部材７を構成してからロールスクリーンへ取着する例である。尚、図１１において、図３で示すクリップ部材７１と同様の機能を有する構成要素には同一の参照番号を付している。
【００７０】
本実施例に係るクリップ部材７１におけるクリップ要素部材７１Ａも、本体部７１ａ、先端部７１ｂ、及び基端部７１ｃとして区分することができる。そして、本実施例においても、本体部７１ａ及び基端部７１ｃの左右方向幅は、ロールスクリーンの左右方向幅とほぼ同一の長さに延在し、本体部７１ａから後方に延びる先端部７１ｂは、ブラケット６を除く位置に左右方向に延在している（図示せず）。
【００７１】
図１１に示すように、本実施例に係るクリップ要素部材７１Ａの本体部７１ａ及び先端部７１ｂは、その上面部１０として略平坦な板状に形成されている。そして、基端部７１ｃは、図示を省略するが前述の実施例と同様に、吊下遮蔽材７２の上縁部７２ａを吊下支持するために、遮蔽片１７と生地保持部１８よりなる略Ｃ字状に保持空間が形成され、吊下遮蔽材７２の上縁部７２ａを係止して、生地導出部１９から下方に吊下遮蔽材７２を垂下可能となっている。
【００７２】
ところで、本実施例に係るクリップ要素部材７１Ａでは、その先端部７１ｂを天井面Ｓとロールスクリーンの上部（本例では、取付フレーム１の上部）との間の隙間に差し込むことで、クリップ要素部材７１Ａにおける先端部７１ｂの下面が取付フレーム１の上部に支持されて上述した光漏れを防止するよう構成されているが、このクリップ要素部材７１Ａのみではその差し込んだ状態を安定化させることができない。
【００７３】
そこで、本実施例に係るクリップ要素部材７１Ａでは、ロールスクリーンの左右方向幅とほぼ同一の長さに延在する先端部７１ｂにて、その左右方向の複数個所に、長穴状の係止孔４１が形成される。そして、この係止孔４１を利用して、高弾性の軟質材料で形成したクリップ要素部材７１Ｂがクリップ要素部材７１Ａに係止されて一体化し、取付フレーム１に対するクリップ要素部材７１Ａの取着を補助するようになっている。
【００７４】
より具体的には、本実施例のクリップ要素部材７１Ｂは、図１１（ｂ）に示すように、略Ｉ字断面形状の本体４２と、本体４２から上方に突起するひだ状のフィン１１ｂが形成されている。図示するひだ状のフィン１１ｂは、上述したフィン１１と同様な機能を有するものであり、一曲面形状で形成されているが、図３に示すような複曲面形状で形成してもよい。クリップ要素部材７１Ｂにおける略Ｉ字断面形状の本体４２は、その上方及び下方でそれぞれ前後方向に突出する嵌合片が形成されており、クリップ要素部材７１Ａにおける係止孔４１にその本体４２を係止可能となっている。特に、本体４２の下方で突出する嵌合片１４ｂは、取付フレーム１の上部と当接可能にして、天井面Ｓと取付フレーム１の上部との間の隙間に先端部７１ｂを差し込んだ状態を保持するよう抜け防止として機能する。尚、図示する例のクリップ要素部材７１Ａでは、図３に例示するような突出部１６を設けていないが、当該差し込んだ状態を保持し前後方向のずれを防止可能とする観点から図３に示すものと同様な突出部１６を設けることが、より好ましい。
【００７５】
クリップ要素部材７１Ｂにおける略Ｉ字断面形状の本体４２は、クリップ要素部材７１Ａの係止孔４１に挿通され弾性変形して係止されることとで、クリップ要素部材７１Ａと一体化する。また、クリップ要素部材７１Ａにおける先端部７１ｂの下面が取付フレーム１の上部に支持される状態で、ひだ状のフィン１１ｂの先端が天井面Ｓと当接することで、水平保持を安定化させるようになっている。
【００７６】
このように、クリップ要素部材７１Ｂをクリップ要素部材７１Ａに係止して一体化してクリップ要素部材７１Ａを構成することで、天井面Ｓとロールスクリーンの上部（本例では、取付フレーム１の上部）との間の隙間にクリップ部材７１Ａの先端部７１ｂを差し込んだ際に水平保持を安定化させることができる。
【００７７】
或いはまた、図１２に示すようにして、光漏れ防止部材７におけるクリップ部材７１を複数部材で構成することができる。例えば、図１２（ａ）の部分的な斜視図、及び図１２（ｂ）の部分的な断面図で示す実施例のクリップ部材７１では、ロールスクリーンの左右方向幅とほぼ同一の長さに延在しているクリップ要素部材７１Ａと、クリップ要素部材７１Ａの左右方向の複数個所で取付フレーム１に対する取着を補助するクリップ要素部材７１Ｂから構成される。本例では、クリップ要素部材７１Ａは一部を除き、低弾性の硬質材料で形成されており、クリップ要素部材７１Ｂも低弾性の硬質材料で形成されている。また、図１２に示す例は、クリップ要素部材７１Ａとクリップ要素部材７１Ｂとを個別にロールスクリーンへ取着する例である。尚、図１２において、図３で示すクリップ部材７１と同様の機能を有する構成要素には同一の参照番号を付している。
【００７８】
本実施例に係るクリップ部材７１におけるクリップ要素部材７１Ａも、本体部７１ａ、先端部７１ｂ、及び基端部７１ｃとして区分することができる。そして、本実施例においても、本体部７１ａ及び基端部７１ｃの左右方向幅は、ロールスクリーンの左右方向幅とほぼ同一の長さに延在し、本体部７１ａから後方に延びる先端部７１ｂは、ブラケット６を除く位置に左右方向に延在している（図示せず）。
【００７９】
図１２に示すように、本実施例に係るクリップ要素部材７１Ａの先端部７１ｂには、断面筒状の上方突起部１１ｃが高弾性の軟質材料で取着、又は２色成形により形成されている。また、クリップ要素部材７１Ａの本体部７１ａの下面には、下方に突起する突起部５４がロールスクリーンの左右方向幅とほぼ同一の長さに延在して設けられている。そして、基端部７１ｃは、図示を省略するが前述の実施例と同様に、吊下遮蔽材７２の上縁部７２ａを吊下支持するために、遮蔽片１７と生地保持部１８よりなる略Ｃ字状に保持空間が形成され、吊下遮蔽材７２の上縁部７２ａを係止して、生地導出部１９から下方に吊下遮蔽材７２を垂下可能となっている。
【００８０】
ところで、本実施例に係るクリップ要素部材７１Ａでは、その先端部７１ｂを天井面Ｓとロールスクリーンの上部（本例では、取付フレーム１の上部）との間の隙間に差し込むことで、クリップ要素部材７１Ａにおける先端部７１ｂの下面が取付フレーム１の上部に支持されて上述した光漏れを防止するよう構成されているが、このクリップ要素部材７１Ａのみではその差し込んだ状態を安定化させることができない。
【００８１】
そこで、本実施例に係る低弾性の硬質材料で形成した略Ｃ字状のクリップ要素部材７１Ｂが取付フレーム１の一側部（室内側側部）に係止されて一体化し、クリップ要素部材７１Ｂの上端部５５により、クリップ要素部材７１Ａの突起部５４を支持することで、取付フレーム１に対するクリップ要素部材７１Ａの取着を補助するようになっている。
【００８２】
より具体的には、本実施例のクリップ要素部材７１Ｂは、図１２（ｂ）に示すように、略Ｃ字断面形状の本体５１を有し、本体５１の略中央部と下端部に、それぞれ取付フレーム１へと取り付ける方向に突出する嵌合爪部５２，５３が形成されている。そして、取付フレーム１の一側部（室内側側部）には、その上端及び下端にてそれぞれ上下に突出する嵌合受部１ｃ，１ｄが形成されている。このため、例えば、嵌合受部１ｄに嵌合爪部５３を嵌め合わせた状態で、クリップ要素部材７１Ｂを取付フレーム１の一側部（室内側側部）に押し込むと、嵌合爪部５２が嵌合受部１ｃに嵌合させることができ、これによりクリップ要素部材７１Ｂが取付フレーム１の一側部（室内側側部）に係止されて一体化する。
【００８３】
このようにクリップ要素部材７１Ａの先端部７１ｂを天井面Ｓと取付フレーム１の上部との間の隙間に差し込んだ状態で、クリップ要素部材７１Ｂが取付フレーム１の一側部（室内側側部）に一体化させることで、図１２（ａ）に示すように、クリップ要素部材７１Ｂの上端部５５が、クリップ要素部材７１Ａの突起部５４を支持する状態で安定化させることができる。
【００８４】
或いは、クリップ要素部材７１Ｂを弾性材料で形成しているときは、クリップ要素部材７１Ｂを取付フレーム１の一側部（室内側側部）に一体化させた後、クリップ要素部材７１Ａの先端部７１ｂを天井面Ｓと取付フレーム１の上部との間の隙間に差し込むよう構成することもできる。例えば、クリップ要素部材７１Ｂが取付フレーム１の一側部（室内側側部）に一体化された状態で、クリップ要素部材７１Ａの先端部７１ｂを天井面Ｓと取付フレーム１の上部との間の隙間に差し込むと、クリップ要素部材７１Ａの突起部５４がクリップ要素部材７１Ｂの上端部５５を押圧して弾性変形させて乗り越える。そして、図１２（ａ）に示すように、クリップ要素部材７１Ｂの上端部５５が、クリップ要素部材７１Ａの突起部５４を支持する状態で安定化させることができる。
【００８５】
図１２（ａ）に示す状態では、クリップ要素部材７１Ａの先端部７１ｂにおける断面筒状の上方突起部１１ｃが、上述したフィン１１と同様な機能を発揮して、当該差し込んだ状態を保持する。尚、上方突起部１１ｃは、ブラケット６を除く位置にロールスクリーンの左右方向に延在して設けられたものとしてもよいが、複数個所に点在させたものとしてもよい。
【００８６】
このように、クリップ要素部材７１Ｂを取付フレーム１に係止して一体化して、クリップ要素部材７１Ａを支持するよう構成することで、天井面Ｓとロールスクリーンの上部（本例では、取付フレーム１の上部）との間の隙間にクリップ部材７１Ａの先端部７１ｂを差し込んだ際に水平保持を安定化させることができる。
【００８７】
以上、特定の実施形態の例を挙げて本発明を説明したが、本発明は前述の実施形態の例に限定されるものではなく、その技術思想を逸脱しない範囲で種々変形可能である。例えば、上述した各実施形態において、主に、遮蔽装置としてロールスクリーンについて説明したが、天井面と遮蔽装置の本体との間の隙間が生じるものであれば、カーテンレール、横型ブラインド、縦型ブラインド、プリーツスクリーン、たくし上げカーテン（ローマンシェード）などの他の遮蔽装置にも前述した光漏れ防止部材７を適用することができる。
【００８８】
例えば、図１３は、本発明による第３実施形態の遮蔽装置としてのカーテンレール１００の概略構成を示す斜視図である。図示する例のカーテンレール１００は、２本のレール１０１にてそれぞれ走行可能なキャリア１０２が支持され、このキャリア１０２に遮蔽材としてのカーテン材（図示せず）が吊下される。各レール１０１は、ブラケット１０６を介して天井面に取り付けられる。このとき、天井面と各レール１０１との間、及び、各レール１０１とカーテン材の上辺との間（キャリア１０２の位置）に隙間が生じ、光漏れが生じることもある。このため、例えば図３で例示した光漏れ防止部材７を用いて、クリップ部材７１の先端部７１ｂを天井面と各レール１０１との間に差し込むことで、クリップ部材７１のそのものと、その基端部７１ｃから垂下される吊下遮蔽材７２により、天井面と各レール１０１との間、及び、各レール１０１とカーテン材の上辺との間（キャリア１０２の位置）における隙間からの光漏れを防止することができる。尚、１本或いは３本以上のレールを用いるカーテンレールに対しても、本発明に係る光漏れ防止部材を適用することができる。
【００８９】
また、図１４は、本発明による第３実施形態の遮蔽装置としてのプリーツスクリーン２００の概略構成を示す斜視図である。図示する例のプリーツスクリーン２００は、ヘッドボックス２０１から遮蔽材としてのスクリーン２０３が吊下支持される。ヘッドボックス２０１は、ブラケット２０６を介して天井面に取り付けられる。このとき、天井面とヘッドボックス２０１との間に隙間が生じ、光漏れが生じる。また、ヘッドボックス２０１が視認されると意匠性を損なうこともある。このため、例えば図３で例示した光漏れ防止部材７を用いて、クリップ部材７１の先端部７１ｂを天井面とヘッドボックス２０１との間に差し込むことで天井面とヘッドボックス２０１との間における隙間からの光漏れを防止して、クリップ部材７１の基端部７１ｃから所定長ｄ１で垂下される吊下遮蔽材７２により、高さｄ２（＜ｄ１）を有するヘッドボックス２０１の視認性を回避しその意匠性を向上させることができる。
【００９０】
このようなヘッドボックスから遮蔽材を垂下させる遮蔽装置として、横型ブラインド、たくし上げカーテン（ローマンシェード）などの遮蔽装置においても同様に、光漏れ防止部材７により、天井面とヘッドボックスとの間における隙間からの光漏れを防止し、且つヘッドボックスの視認性を回避しその意匠性を向上させることができる。
【００９１】
また、ヘッドボックスから遮蔽材を垂下させる遮蔽装置において、操作コードや操作棒がヘッドボックスから室内側に飛び出て垂下されているような形態の場合には、その垂下位置よりも更に室内側から吊下遮蔽材７２が光漏れ防止部材７から垂下されるようにするのが好適である。例えば図１４に示すように、その操作コード２０４の垂下位置よりも室内側から吊下遮蔽材７２が光漏れ防止部材７から垂下されるようにする。これにより、その意匠性を高めることができる。尚、クリップ部材７１の形状（例えば本体部７１ａの長さ）を定めることで、吊下遮蔽材７２の垂下位置を定めることができる。
【００９２】
尚、上述した各実施形態及び各実施例において、光漏れ防止部材７を遮蔽装置の前面（正面）から取着する例を主に説明したが、これは好適例であり、光漏れ防止部材７を遮蔽装置の後面（背面）から取着してもよい。また、光漏れ防止部材７は、遮蔽装置の前後両面に設けてもよいし、遮蔽装置の左右端面となる側面（例えば遮蔽装置の左右両端部に設けられることもあるカバー）に設けてもよい。また、天井面との隙間を塞ぐことで光漏れを防止することのみを目的とする際には、吊下遮蔽材７２が取着されていないクリップ部材７１を用いて遮蔽装置に適用することもできる。
【００９３】
また、テンションバーを利用して、カーテンレール、横型ブラインド、縦型ブラインド、プリーツスクリーン、たくし上げカーテン（ローマンシェード）などの他の遮蔽装置にも前述した光漏れ防止部材７を適用する場合も、上述した第２実施形態と同様の作用・効果を得ることができる。
【産業上の利用可能性】
【００９４】
本発明によれば、天井面と遮蔽装置の上部との間の隙間からの光漏れを防ぐことができ、その施工性及び着脱性を向上させることができるので、遮蔽材を吊下支持する遮蔽装置の用途に有用である。
【符号の説明】
【００９５】
１  取付フレーム
１ａ，１ｂ  支持部材
３  遮蔽材
４  ウェイトバー
５  プルグリップ
６  ブラケット
７  光漏れ防止部材
８  テンションバー
１１，１２，１３，１４  フィン
１５，１６  突起部
１７  遮蔽片
１８  生地保持部
１９  生地導出部
７１  クリップ部材
７１ａ  クリップ部材の本体部
７１ｂ  クリップ部材の先端部
７１ｃ  クリップ部材の基端部
７２  吊下遮蔽材
【図１】
0006408952.tif 000002
【図２】
0006408952.tif 000003
【図３】
0006408952.tif 000004
【図４】
0006408952.tif 000005
【図５】
0006408952.tif 000006
【図６】
0006408952.tif 000007
【図７】
0006408952.tif 000008
【図８】
0006408952.tif 000009
【図９】
0006408952.tif 000010
【図１０】
0006408952.tif 000011
【図１１】
0006408952.tif 000012
【図１２】
0006408952.tif 000013
【図１３】
0006408952.tif 000014
【図１４】
0006408952.tif 000015